(57)【要約】【課題】  遠隔制御コード信号の出力タイミングに合わせて昇圧回路に電圧を供給する回路構成を採用して昇圧回路のエネルギ損失を低減した遠隔制御用送信器を提供する。【解決手段】  選択信号を出力する遠隔制御用の中央制御装置２１と選択信号により読み出される指令信号が格納されているメモリと読み出された指令信号で搬送波を変調して遠隔制御コード信号を生成出力する変調回路とを有する指令信号発生回路２と、トランジスタ３１と赤外線発光ダイオード３２を直列接続した発光駆動部３と、電源１とより成り、赤外遠隔制御コード信号を発光出力する遠隔制御用送信器において、メモリには、中央制御装置２１より遠隔制御コード信号と切替信号とを出力するプログラムを格納しておき、切替信号により切替えられるスイッチング回路と昇圧回路とを電源と発光駆動部の間に接続した遠隔制御用送信器。【選択図】  図１
2005057476.tif 000002
【特許請求の範囲】
【請求項１】
操作部を選択操作して選択信号を生成出力する遠隔制御用の中央制御装置と選択信号により読み出される指令信号が格納されているメモリとメモリから読み出された指令信号で搬送波を変調して遠隔制御コード信号を生成出力する変調回路とを有する指令信号発生回路と、トランジスタと赤外線発光ダイオードを直列接続した発光駆動部と、電源とより成り、遠隔制御コード信号によりトランジスタをオンオフ制御して赤外遠隔制御コード信号を発光出力する遠隔制御用送信器において、
メモリには、中央制御装置より遠隔制御コード信号と切替信号とを出力するプログラムを格納しておき、読み出された切替信号により切替えられるトランジスタを有するスイッチング回路と昇圧回路とを直列接続して電源と発光駆動部の間に接続したことを特徴とする遠隔制御用送信器。
【請求項２】
請求項１に記載される遠隔制御用送信器において、
昇圧回路を、スイッチング回路を介して、遠隔制御コード信号の出力タイミングに合わせて、切替信号により制御することを特徴とする遠隔制御用送信器。
【請求項３】
請求項２に記載される遠隔制御用送信器において、
昇圧回路が安定するまでの時間を見越して切替信号を遠隔制御コード信号よりタイミングを早めて出力することを特徴とする遠隔制御用送信器。
【発明の詳細な説明】
【技術分野】
【０００１】
この発明は、遠隔制御用送信器に関し、特に、遠隔制御コード信号の出力タイミングに合わせて昇圧回路に電源電圧を供給する回路構成を採用して昇圧回路におけるエネルギ損失を低減した遠隔制御用送信器に関する。
【背景技術】
【０００２】
テレビジョン受像機、音響機器、ＶＴＲその他の電子機器をこれらの機器から離隔して操作する遠隔制御装置として、赤外線の遠隔制御コード信号を送信する遠隔制御用送信器が汎用されている。
【０００３】
図３は赤外線式の遠隔制御用送信器の従来例を説明する図である。
図３において、１は駆動用の電力を供給する乾電池より成る電源を示す。2は遠隔制御用送信器の指令信号発生回路を示す。指令信号発生回路２は、キー或いはスイッチボタンより成る操作部を選択操作して選択信号を発生出力する遠隔制御用の中央制御装置２１を主要な構成部材として有している。この指令信号発生回路２は、中央制御装置２１の他に、操作部を選択操作して発生する選択信号により読み出される指令信号が格納されているメモリと、更に、このメモリから読み出された指令信号で搬送波を変調して遠隔制御コード信号を生成出力する変調回路を有している。変調回路の生成する遠隔制御コード信号は、コード信号出力端子２８を介して出力される。
【０００４】
３は発光駆動部であり、トランジスタ３１、赤外線発光ダイオード３２、限流抵抗３３を直列接続した構成とされている。トランジスタ３１の制御端子であるベースは抵抗を介してコード信号出力端子２８に接続している。この発光駆動部３には電源１が接続している。トランジスタ３１は、その制御端子にコード信号出力端子２８を介して出力される遠隔制御コード信号が駆動パルスとして供給され、これに応答してオンオフ制御される。このオンオフ動作により、発光駆動部の赤外線発光ダイオード３２には限流抵抗３３を介して通電され、これから赤外遠隔制御コード信号が発光出力されるに到る（特許文献１、２参照）。なお、４は電源安定用のコンデンサである。
【０００５】
ここで、赤外線発光ダイオード３２は１．５Ｖ〜１．７Ｖ程度の閾値電圧を有しており、この固有の電圧電流特性上、印加電圧がこの閾値電圧を超えない限り発光することができない。即ち、電源１として乾電池を使用する場合、乾電池の起電力は１．５Ｖ近傍であるところから、上述した赤外線式の遠隔制御用送信器は、乾電池を２本直列接続して電源１としている。
【０００６】
図４を参照して他の従来例を説明するに、これは、図３の従来例において、電源１と発光駆動部３との間に昇圧回路５を介在させたものに相当する。乾電池１本のみを使用して、乾電池１本の起電力１．５Ｖを昇圧回路により昇圧して必要な電圧を得ることができる。
【特許文献１】特開２００１−２８５２０６号  公報
【特許文献２】特許第２７２０４７２号  公報
【発明の開示】
【発明が解決しようとする課題】
【０００７】
赤外線式の遠隔制御用送信器において、図４の従来例の如く昇圧回路を使用すると、昇圧回路において大きくエネルギ損失を発生する問題を生ずる。
【０００８】
以下、これについて説明するに、遠隔制御用送信器のとる状態としては、キーが押圧操作されて指令信号を出力する「動作状態」と、キーが押圧操作されるのを待機している「待機状態」の２状態がある。両状態の割合は、遠隔制御用送信器が使用される電子機器の相違、遠隔制御用送信器の使用者の相違その他の相違による使用頻度で様々であるが、動作状態を１とすると、待機状態は、およそ、１０4〜１０7 にもなる。このことから、電池寿命は、動作状態における使用電力よりも待機状態における使用電力により大きな影響を蒙る。昇圧回路を有する遠隔制御用送信器の待機状態において、昇圧回路に常時流通している暗電流は少ないもので３０μＡ〜４０μＡ程度であると見積もられている。従って、起電力１．５Ｖの乾電池を１本使用し、昇圧回路を付設して必要な電圧を得る遠隔制御用送信器を単純に設計構成すると、待機状態における消費電力の大きい遠隔制御用送信器が構成される恐れがある。
【０００９】
ここで、この発明は、電源と発光駆動部との間に、スイッチング回路と昇圧回路を直列接続して介在させて、遠隔制御コード信号を出力する時のみ、昇圧回路を動作させる構成を採用することにより、昇圧回路の待機状態における消費電力を大きく減少する上述した問題を解消した遠隔制御用送信器を提供するものである。
【課題を解決するための手段】
【００１０】
請求項１：操作部を選択操作して選択信号を生成出力する遠隔制御用の中央制御装置２１と選択信号により読み出される指令信号が格納されているメモリとメモリから読み出された指令信号で搬送波を変調して遠隔制御コード信号を生成出力する変調回路とを有する指令信号発生回路２と、トランジスタ３１と赤外線発光ダイオード３２を直列接続した発光駆動部３と、電源１とより成り、遠隔制御コード信号によりトランジスタ３１をオンオフ制御して赤外遠隔制御コード信号を発光出力する遠隔制御用送信器において、メモリには、中央制御装置より遠隔制御コード信号と切替信号とを出力するプログラムを格納しておき、読み出された切替信号により切替えられるトランジスタを有するスイッチング回路と昇圧回路とを直列接続して電源と発光駆動部の間に接続した遠隔制御用送信器を構成した。
【００１１】
そして、請求項２：請求項１に記載される遠隔制御用送信器において、昇圧回路５を、スイッチング回路６を介して、遠隔制御コード信号の出力タイミングに合わせて、切替信号により制御する遠隔制御用送信器を構成した。
【００１２】
また、請求項３：請求項２に記載される遠隔制御用送信器において、昇圧回路５が安定するまでの時間を見越して切替信号を遠隔制御コード信号よりタイミングを早めて出力する遠隔制御用送信器を構成した。
【発明の効果】
【００１３】
以上の通りであって、この発明に依れば、電源１と発光駆動部３との間に、スイッチング回路６と昇圧回路５を直列接続して介在させ、コード信号出力端子２８から出力される遠隔制御コード信号と切替信号出力端子２９から出力される切替信号の発生タイミングを合わせて、遠隔制御コード信号を出力する時のみ昇圧回路を動作させる切替信号を出力する構成を採用することにより、待機状態においては昇圧回路５に電流は供給されずに、待機状態における昇圧回路５の電力消費を極く小さなものとすることができる。
【００１４】
そして、切替信号出力端子２９から出力される切替信号を、昇圧回路５の動作が安定するまでの時間を見越して、コード信号出力端子２８から出力される遠隔制御コード信号よりタイミングを早めて出力することにより、動作の安定な遠隔制御用送信器を構成することができる。
【発明を実施するための最良の形態】
【００１５】
図１および図２を参照して発明を実施するための最良の形態を説明する。図１において、図３および図４の従来例における構成部材と共通する部材には共通する参照符合を付与している。
【００１６】
１は駆動用の電力を供給する１本の乾電池より成る電源を示す。
２は遠隔制御用送信器の指令信号発生回路を示す。指令信号発生回路２は、キー或いはスイッチボタンより成る操作部を選択操作して選択信号を発生出力する遠隔制御用の中央制御装置２１を主要な構成部材として有している。この指令信号発生回路２は、中央制御装置２１の他に、操作部を選択操作して発生する選択信号により読み出される指令信号が格納されているメモリと、このメモリから読み出された指令信号で搬送波を変調して図２（ｂ）（イ）に示される如き遠隔制御コード信号を生成出力する変調回路を有している。変調回路の発生する遠隔制御コード信号はコード信号出力端子２８を介して出力される。この発明の指令信号発生回路２は、メモリに指令信号として、更に、図２（ｂ）（ロ）に示される如き切替信号を遠隔制御コード信号よりタイミングを早めて出力するようにプログラミングされた図２（ａ）の如きソフトウェアを格納しておく。２９は切替信号出力端子である。
【００１７】
６はスイッチングトランジスタ６１を主要な構成要素とするスイッチング回路である。実施例においてはこのトランジスタ６１としてｐｎｐ型のトランジスタを採用しており、そのエミッタは電源１に接続すると共に、ベースは中央制御装置２１の切替信号出力端２９に接続している。このスイッチング回路６は、切替信号出力端子２９から出力される切替信号により断続せしめられる。
【００１８】
５は昇圧回路であり、直流電圧を昇圧する汎用の直流−直流電圧増幅回路を使用することができる。この昇圧回路５の入力端はスイッチング回路６の出力端を構成するトランジスタ６１のコレクタに接続している。３は発光駆動部であり、トランジスタ３１、赤外線発光ダイオード３２、限流抵抗３３を直列接続した経路より成る。この発光駆動部３は昇圧回路５の出力端に接続している。即ち、切替信号出力端子２９から出力される切替信号をベースに入力するスイッチングトランジスタ６１を有するスイッチング回路６と昇圧回路５とは、直列接続して電源１と発光駆動部３の間に接続せしめられている。実施例においては、トランジスタ３１としてｎｐｎ型のトランジスタを採用しており、その制御端子であるベースは、抵抗を介して中央制御装置２１のコード信号出力端子２８に接続しており、出力される遠隔制御コード信号によりオンオフ制御される。トランジスタ３１のこのオンオフ動作により、電源１からスイッチング回路６および昇圧回路５を経由して発光駆動部３に供給される電圧が、限流抵抗３３を介して赤外線発光ダイオード３２に通電され、これから赤外遠隔制御コード信号が発光出力されるに到る。
【００１９】
ここで、この発明の特徴とするところは、電源１と発光駆動部３との間に、スイッチング回路６と昇圧回路５を直列接続して介在させ、コード信号出力端子２８から出力される遠隔制御コード信号と切替信号出力端子２９から出力される切替信号の発生タイミングを合わせて遠隔制御コード信号を出力する時のみ切替信号を出力して昇圧回路５を動作させる構成を採用することにより、待機状態において昇圧回路５に電流は供給されず、待機状態における昇圧回路５の電力消費を極く小さくしたところである。
【００２０】
以下、図２を参照して実施例の動作、遠隔制御コード信号および切替信号の発生タイミングを説明する。図２（ａ）は動作フローチャートであり、図２（ａ）は遠隔制御コード信号および切替信号の発生タイミングの関係を示す。
【００２１】
（工程１）  ボタン押下を検出する。
（工程２）  ＣＰＵ起動（ＳＴＯＰモードより帰還）。
（工程３）  切替信号出力端子２９より切替信号の内のアクティブを示すＬｏを出力。
（工程４）  ５０〜５００ｍｓ程度の一定時間の待機時間を保持して後、コード信号出              力端子２８より遠隔制御コード信号のパターンを出力。
（工程５）  コード信号出力端子２８より遠隔制御コード信号のパターンを出力した                後、切替信号出力端子２９より切替えた後、Ｈｉを出力（ＳＴＯＰモード              へ移行）。
【００２２】
以上の通り、遠隔制御用送信器の何れかのボタンが押下されて押下が検出されると、中央制御装置２１はＳＴＯＰモードより帰還して起動する。この時、切替信号出力端子２９よりＬｏ出力がなされ、スイッチングトランジスタ６１はｐｎｐ型トランジスタであるところからこのＬｏを出力することにより導通する。スイッチングトランジスタ６１が導通することにより、昇圧回路５には電源１からスイッチングトランジスタ６１、コンデンサ４を介して通電がなされる。設定により、昇圧回路５に５０〜１００ｍｓ程度の一定時間の通電がなされた後、コード信号出力端子２８より遠隔制御コード信号のパターンを出力する。トランジスタ３１はこの遠隔制御コード信号により、オンオフ動作し、これから赤外遠隔制御コード信号が発光出力される。設定により遠隔制御コード信号のパターンを所定の時間出力した後、切替信号出力端子２９よりＨｉを出力し、ｐｎｐ型のスイッチングトランジスタ６１を遮断して中央制御装置はＳＴＯＰモードへ移行する。
【００２３】
上述した通りにして、切替信号出力端２９から出力される切替信号は、昇圧回路５の動作が安定するまでの５０〜５００ｍｓ程度の一定時間を見越して、コード信号出力端子２８から出力される遠隔制御コード信号よりタイミングを早めて出力されることにより、動作の安定な遠隔制御用送信器を構成することができる。
【図面の簡単な説明】
【００２４】
【図１】実施例を説明する図。
【図２】実施例の動作、遠隔制御コード信号および切替信号の発生タイミングを説明する図。
【図３】従来例を説明する図。
【図４】他の従来例を説明する図。
【符号の説明】
【００２５】
１  電源                          ２  指令信号発生回路
２１  中央制御装置（ＣＰＵ）      ２８  コード信号出力端子
２９  切替信号出力端子              ３  発光駆動部
３１  トランジスタ                ３２  赤外線発光ダイオード
３３  限流抵抗                      ４  コンデンサ
５  昇圧回路                      ６  スイッチング回路
６１  スイッチングトランジスタ
【図１】
2005057476.tif 000003
【図２】
2005057476.tif 000004
【図３】
2005057476.tif 000005
【図４】
2005057476.tif 000006